【手続補正書】
【提出日】平成20年9月26日(2008.9.26)
【手続補正１】
【補正対象書類名】明細書
【補正対象項目名】発明の名称
【補正方法】変更
【補正の内容】
【発明の名称】カラー画像処理方法及び装置とコンピュータプログラム、及びルックアップテーブルの製造方法
【手続補正２】
【補正対象書類名】明細書
【補正対象項目名】特許請求の範囲
【補正方法】変更
【補正の内容】
【特許請求の範囲】
【請求項１】
画像データの色を、基本４色材色と当該基本色材色のうちの所定の色に関して淡い色の色材を用いた色材とで構成される色材色へ色分解するカラー画像処理装置であって、
前記色分解を行うための白と黒とを結ぶ目標グレイラインを設定する設定手段と、
前記目標グレイライン上の色を実現するための３色の色材の組合わせを求める３色グレイ作成手段と、
前記目標グレイライン上の色を実現するための前記基本４色の色材量を決定する４色分解処理手段と、
前記目標グレイラインを実現するための総色材量を決定する総色材量決定手段と、
前記目標グレイライン上の色を実現するための基本Ｙ色と前記淡い色の色材の組合せで実現できない色に関して前記総色材量と前記基本４色の色材量に基づき前記色材のそれぞれの色材量を決定する手段と、
を有することを特徴とするカラー画像処理装置。
【請求項２】
前記３色グレイ作成手段は、
前記目標グレイライン上の色を実現するためのＣ(シアン）Ｍ（マゼンタ）Ｙ（イエロー）の基本３色の組合せ量を決定するための決定手段と、
前記目標グレイライン上の色を実現するための基本Ｙ色とＬＣ（淡シアン）ＬＭ（淡マゼンタ）の計３色の組合せ量を決定するための組合わせ決定手段と、
を有することを特徴とする請求項１に記載のカラー画像処理装置。
【請求項３】
前記３色グレイの作成手段は、
Ｙ色材に応じて各プレーンを設定するプレーン設定手段と、
前記プレーン設定手段により設定された各プレーンごとにＣ，Ｍ色材量を設定するＣＭ色材量設定手段と、
各プレーンと前記目標グレイラインとの交点を算出する算出手段と、
前記算出手段により算出された各交点におけるＣ，Ｍ，Ｙ色材量を算出する色材量算出手段と、
を有することを特徴とする請求項１に記載のカラー画像処理装置。
【請求項４】
前記３色グレイの作成手段は、
Ｙ色材に応じて各プレーンを設定するプレーン設定手段と、
前記プレーン設定手段により設定された各プレーンごとにＬＣ，ＬＭの色材量を設定するＬＣＬＭ色材量設定手段と、
各プレーンと前記目標グレイラインとの交点を算出する算出手段と、
前記算出手段により算出された各交点におけるＬＣ，ＬＭ，Ｙ色材量を算出する色材量算出手段と、
を有することを特徴とする請求項１に記載のカラー画像処理装置。
【請求項５】
前記基本４色材はＣＭＹＫのインクであり、前記淡い色の色材は淡シアン及び淡マゼンタのインクであり、
前記色材量を決定する手段は、
濃淡シアンと濃淡マゼンタの比率を算出する比率算出手段と、
前記総色材量、Ｙ色材量、Ｋ色材量及び前記濃淡シアンと濃淡マゼンタの比率に基づき濃淡シアンの合計色材量と濃淡マゼンタの合計色材量を算出する手段と、
前記濃淡シアンの合計色材量と濃淡シアンの目標濃度から濃シアンの色材量と淡シアンの色材量とを算出する手段と、
前記濃淡マゼンタの合計色材量と濃淡マゼンタの目標濃度から濃マゼンタの色材量と淡マゼンタの色材量を算出する手段と、
を有することを特徴とする請求項１に記載のカラー画像処理装置。
【請求項６】
画像データの色を、基本４色材色と当該基本色材色のうちの所定の色に関して淡い色の色材を用いた色材とで構成される色材色へ色分解するカラー画像処理方法であって、
前記色分解を行うための白と黒とを結ぶ目標グレイラインを設定する設定工程と、
前記目標グレイライン上の色を実現するための３色の色材の組合わせを求める３色グレイ作成工程と、
前記目標グレイライン上の色を実現するための前記基本４色の色材量を決定する４色分解処理工程と、
前記目標グレイラインを実現するための総色材量を決定する総色材量決定工程と、
前記目標グレイライン上の色を実現するための基本Ｙ色と前記淡い色の色材の組合せで実現できない色に関して前記総色材量と前記基本４色の色材量に基づき前記色材のそれぞれの色材量を決定する工程と、
を有することを特徴とするカラー画像処理方法。
【請求項７】
画像データの色を、基本４色材色と当該基本色材色のうちの所定の色に関して淡い色の色材を用いた色材とで構成される色材色へ色分解するルックアップテーブルの製造方法であって、
前記色分解を行うための白と黒とを結ぶ目標グレイラインを設定する設定工程と、
前記目標グレイライン上の色を実現するための３色の色材の組合わせを求める３色グレイ作成工程と、
前記目標グレイライン上の色を実現するための前記基本４色の色材量を決定する４色分解処理工程と、
前記目標グレイラインを実現するための総色材量を決定する総色材量決定工程と、
前記目標グレイライン上の色を実現するための基本Ｙ色と前記淡い色の色材の組合せで実現できない色に関して前記総色材量と前記基本４色の色材量に基づき前記色材のそれぞれの色材量を決定する工程と、
を有することを特徴とするルックアップテーブルの製造方法。
【請求項８】
画像データの色を、基本４色材色と当該基本色材色のうちの所定の色に関して淡い色の色材を用いた色材とで構成される色材色へ色分解するカラー画像処理をコンピュータに実行させるために、当該コンピュータを、
前記色分解を行うための白と黒とを結ぶ目標グレイラインを設定する設定手段と、
前記目標グレイライン上の色を実現するための３色の色材の組合わせを求める３色グレイ作成手段と、
前記目標グレイライン上の色を実現するための前記基本４色の色材量を決定する４色分解処理手段と、
前記目標グレイラインを実現するための総色材量を決定する総色材量決定手段と、
前記目標グレイライン上の色を実現するための基本Ｙ色と前記淡い色の色材の組合せで実現できない色に関して前記総色材量と前記基本４色の色材量に基づき前記色材のそれぞれの色材量を決定する手段と、
を有するカラー画像処理装置として機能させるためのコンピュータプログラム。
【手続補正３】
【補正対象書類名】明細書
【補正対象項目名】０００１
【補正方法】変更
【補正の内容】
【０００１】
【発明の属する技術分野】
本発明は、カラープリンタ等のカラー画像を形成する画像形成装置に出力する画像データを処理するカラー画像処理方法及び装置とコンピュータプログラム、及びルックアップテーブルの製造方法に関するものである。
【手続補正４】
【補正対象書類名】明細書
【補正対象項目名】０００８
【補正方法】変更
【補正の内容】
【０００８】
本発明は上記従来例に鑑みてなされたもので、目標グレイラインを設定し、この目標グレイライン上の色を実現できるカラー画像処理方法及び装置とコンピュータプログラム、及びルックアップテーブルの製造方法を提供することを目的とする。
【手続補正５】
【補正対象書類名】明細書
【補正対象項目名】０００９
【補正方法】変更
【補正の内容】
【０００９】
【課題を解決するための手段】
上記目的を達成するために本発明のカラー画像処理装置は以下のような構成を備える。即ち、
画像データの色を、基本４色材色と当該基本色材色のうちの所定の色に関して淡い色の色材を用いた色材とで構成される色材色へ色分解するカラー画像処理装置であって、
前記色分解を行うための白と黒とを結ぶ目標グレイラインを設定する設定手段と、
前記目標グレイライン上の色を実現するための３色の色材の組合わせを求める３色グレイ作成手段と、
前記目標グレイライン上の色を実現するための前記基本４色の色材量を決定する４色分解処理手段と、
前記目標グレイラインを実現するための総色材量を決定する総色材量決定手段と、
前記目標グレイライン上の色を実現するための基本Ｙ色と前記淡い色の色材の組合せで実現できない色に関して前記総色材量と前記基本４色の色材量に基づき前記色材のそれぞれの色材量を決定する手段と、
を有することを特徴とする。
【手続補正６】
【補正対象書類名】明細書
【補正対象項目名】００１０
【補正方法】変更
【補正の内容】
【００１０】
上記目的を達成するために本発明のカラー画像処理方法は以下のような工程を備える。即ち、
画像データの色を、基本４色材色と当該基本色材色のうちの所定の色に関して淡い色の色材を用いた色材とで構成される色材色へ色分解するカラー画像処理方法であって、
前記色分解を行うための白と黒とを結ぶ目標グレイラインを設定する設定工程と、
前記目標グレイライン上の色を実現するための３色の色材の組合わせを求める３色グレイ作成工程と、
前記目標グレイライン上の色を実現するための前記基本４色の色材量を決定する４色分解処理工程と、
前記目標グレイラインを実現するための総色材量を決定する総色材量決定工程と、
前記目標グレイライン上の色を実現するための基本Ｙ色と前記淡い色の色材の組合せで実現できない色に関して前記総色材量と前記基本４色の色材量に基づき前記色材のそれぞれの色材量を決定する工程と、
を有することを特徴とする。